(57)【要約】【課題】  複数の配管を整列させて並設固定することができ施工性、汎用性に優れ、台座部材と配管固定部材及び高さ調整部材を容易に着脱できるので作業性に優れ、予め厚さが異なる数種類の高さ調整部材を用意することでそれらを組合わせて簡便に勾配の微調整ができる汎用性、施工性に優れた配管支持具を提供することを目的とする。【解決手段】  給水用や排水用等の配管を家屋等の床下面や壁面、天井裏面等の被固定面に固定する配管支持具であって、ａ．被固定面に固定される長尺板状の底板部と、底板部に少なくともいずれか一方の側部に長手方向と平行な片蟻部又は片蟻溝部を備えた台座係止部と、を有する台座部材と、ｂ．台座部材の台座係止部に着脱自在に嵌合される片蟻溝部又は片蟻部を備えた嵌合係止部と、嵌合係止部の上部に円弧状に形成され配管を保持する配管抱持部と、を有する配管固定部材と、を備えている。【選択図】  図１
2005133882.tif 000002
【特許請求の範囲】
【請求項１】
給水用や汚水，雨水等の排水用の配管を家屋等の床下面や壁面、天井裏面等の被固定面に固定する配管支持具であって、
ａ．前記被固定面に固定される長尺板状の底板部と、前記底板部に少なくともいずれか一方の側部に長手方向と平行な片蟻部又は片蟻溝部を備えた台座係止部と、を有する台座部材と、
ｂ．前記台座部材の前記台座係止部に着脱自在に嵌合される片蟻溝部又は片蟻部を備えた嵌合係止部と、前記嵌合係止部の上部に円弧状に形成され前記配管を保持する配管抱持部と、を有する配管固定部材と、
を備えていることを特徴とする配管支持具。
【請求項２】
長尺板状の高さ調整基板部と、前記高さ調整基板部の上下面にそれぞれ長手方向と平行に形成され前記台座係止部又は前記嵌合係止部に係止される片蟻部を備えた凸条調整係止部及び片蟻溝部を備えた凹条調整係止部と、を有し、前記台座部材の前記台座係止部と前記配管固定部材の前記嵌合係止部との間に１以上嵌装されて配設された高さ調整部材を備えていることを特徴とする請求項１に記載の配管支持具。
【請求項３】
前記配管固定部材の前記配管抱持部が、前記配管抱持部の上部又は側部に形成され前記配管が着脱される着脱用開口部を有することを特徴とする請求項１又は２に記載の配管支持具。
【請求項４】
前記配管固定部材の前記嵌合係止部が、長手方向の中央部で二分され前記配管抱持部の下部に形成された前記配管が着脱される着脱用開口部を有することを特徴とする請求項１又は２に記載の配管支持具。
【請求項５】
前記台座部材が、前記底板部及び前記台座係止部を上下方向に貫通する１以上の台座固定孔を有することを特徴とする請求項１乃至４の内いずれか１項に記載の配管支持具。
【請求項６】
前記高さ調整部材が、５ｍｍ〜１００ｍｍの厚さに形成された前記高さ調整基板部を有することを特徴とする請求項１乃至５の内いずれか１項に記載の配管支持具。
【請求項７】
前記台座部材の前記台座係止部、前記配管固定部材の前記嵌合係止部、前記高さ調整部材の前記凸条調整係止部及び前記凹条調整係止部が、それぞれ凸条の片蟻側及び凹条の片蟻溝側と対向する側部に長手方向と平行に形成された係止用凸条部又は係止用凹条部を有することを特徴とする請求項１乃至６の内いずれか１項に記載の配管支持具。
【請求項８】
前記台座部材の前記台座係止部、前記配管固定部材の前記嵌合係止部、前記高さ調整部材の前記凸条調整係止部及び前記凹条調整係止部が、それぞれ蟻又は蟻溝であることを特徴とする請求項１乃至６の内いずれか１項に記載の配管支持具。
【発明の詳細な説明】
【技術分野】
【０００１】
本発明は、家屋等の床下面や壁面、天井裏面等の被固定面に配設される給水用や汚水，雨水等の排水用の配管を固定する配管支持具に関するものである。
【背景技術】
【０００２】
従来、家屋の床下面や壁面等に配設される給水用や汚水，雨水等の排水用の配管を支持固定する配管支持具が開発されている。特に、排水用配管においては排水を良好にするために配管に一定の勾配を設け、その勾配を調節できるように支持する配管支持具が検討されている。
配管の勾配を調節して支持する配管支持具として、一般によく用いられるものに、台座部材に垂設されたボルトに半円状をなす配管の支持部が形成された上下一対の固定部材をナットにより固定するものがある。
また、（特許文献１）には「家屋等の床面に配置され、配管を支持する支持部を形成した台座部材と、該台座部材と上下に嵌合し配管を固定する固定部材とを備え、台座部材は同形のものを上下に複数重ねて装着することで、床面に沿って勾配をなすように配管の支持高さを調節可能にした配管支持具」が開示されている。
【特許文献１】特開２００２−２９５７３０号公報
【発明の開示】
【発明が解決しようとする課題】
【０００３】
しかしながら上記従来の技術では、以下のような課題を有していた。
（１）ボルトとナットにより高さ調整を行う配管支持具は、高さの微調整が可能で、配管を一定の勾配で傾斜させることができ、排水等を良好にすることができるが、この作業は、メジャーや水平器を用いて、互いに隣接する配管支持具間の距離や配管の床面からの高さを正確に測定した後に、各配管支持具のナットの螺合位置を変更することで配管の支持高さを調節する必要があるので、作業が煩雑で工数を要し、施工性に欠けるという課題を有していた。
（２）（特許文献１）では台座部材と同形のものを上下に複数重ねて装着することで配管の支持高さを調節するので、厚さが配管の外径で決定され、勾配の微調整が困難であるという課題を有していた。
（３）また、これら従来の配管支持具では、台座部材に対し上下一対の固定部材で配管を固定するので、複数の配管を並設する際、各配管毎に台座部材と上下一対の固定部材を用意する必要があり作業性に欠け、配管同士の間隔が制限されて汎用性に欠けるという課題を有していた。
【０００４】
本発明は上記従来の課題を解決するもので、複数の配管を整列させて並設固定することができ施工性、汎用性に優れ、台座部材と配管固定部材及び高さ調整部材を容易に着脱できるので作業性に優れ、予め厚さが異なる数種類の高さ調整部材を用意することでそれらを組合わせて簡便に勾配の微調整ができる汎用性、施工性に優れた配管支持具を提供することを目的とする。
【課題を解決するための手段】
【０００５】
上記課題を解決するために本発明の配管支持具は、以下の構成を有している。
本発明の請求項１に記載の配管支持具は、給水用や汚水，雨水等の排水用の配管を家屋等の床下面や壁面、天井裏面等の被固定面に固定する配管支持具であって、ａ．前記被固定面に固定される長尺板状の底板部と、前記底板部の上面に長手方向と平行に形成された凸条又は凹条の台座係止部と、前記台座係止部の少なくとも一方の側部に長手方向と平行に形成された台座係止凸部又は台座係止凹部と、を有する台座部材と、ｂ．側部に前記台座係止部の前記台座係止凸部又は前記台座係止凹部に係止される係止用凹部又は係止用凸部を備え前記台座係止部に着脱自在に嵌合される凹条又は凸条の嵌合係止部と、前記嵌合係止部の上部に円弧状に形成され前記配管を保持する配管抱持部と、を有する配管固定部材と、を備えている構成を有している。
この構成により、以下のような作用を有する。
（１）被固定面に固定される台座部材が底板部の上面に凸条又は凹条の台座係止部を有し、上部に配管を保持する円弧状の配管抱持部を有する配管固定部材が凹条又は凸条の嵌合係止部を有するので、台座部材の台座係止部に配管固定部材の嵌合係止部を着脱自在に嵌合させることができると共に、台座係止部の少なくとも一方の側部に長手方向と平行に形成された台座係止凸部又は台座係止凹部と、嵌合係止部の側部に形成され台座係止部の台座係止凸部又は台座係止凹部に係止される係止用凹部又は係止用凸部を有することで上方に引抜く力に対抗でき、確実に台座係止部と嵌合係止部を嵌合させて配管抱持部に保持された配管を支持することができる。
（２）台座部材の台座係止部に形成された台座係止凸部又は台座係止凹部と、配管固定部材の嵌合係止部に形成された係止用凹部又は係止用凸部がそれぞれ互いに係止されるので、被固定面に固定される台座部材に対して配管固定部材をスライドさせるようにして容易に嵌合させることができる。
（３）台座部材及び配管固定部材がそれぞれ互いに嵌合する台座係止部及び嵌合係止部を有することで、一つの台座部材に複数の配管固定部材を嵌合させることができるので、固定する配管の本数や管径に合わせて長尺の台座部材をカッター等でカッティングし、複数の配管を整列させて並設することができる。
【０００６】
ここで、台座部材及び配管固定部材の材質としては、ポリエチレン、ポリプロピレン、ポリエステル、塩化ビニル樹脂、ＡＢＳ樹脂等の合成樹脂が好適に用いられる。これにより、腐蝕が発生せず耐久性に優れ、配管を傷つけることがなく信頼性に優れる。また、長尺に形成した台座部材を配管の大きさや本数、配管スペースに合わせて容易に切断して使用することができるので、現場での施工性や在庫管理、経済性に優れる。
台座部材は被固定面に対してビスやボルト等のねじ止め等により固定する。配管固定部材を台座部材に嵌装後、接着やねじ止め等により配管固定部材と台座部材を固定した場合、より確実に配管を保持して信頼性に優れると共に、配管の振動を防止でき静粛性に優れる。尚、台座部材と被固定面との固定及び配管固定部材と台座部材との固定をねじ止めで行う場合、共通のねじ止め部材を用いて一度に固定作業を行うことができ施工性に優れる。また、配管固定部材と台座部材をねじ止め固定した場合、容易に分解して配管固定部材の交換や移動を行うことができメンテナンス性に優れる。尚、台座部材や配管固定部材にねじ止め用の固定孔を穿設する場合、ねじ等の頭部が配管等と接触して傷つけないように固定孔の上部にザグリ等の凹部を形成する。
配管抱持部をＪＩＳ規格の径等に合わせて形成し寸法が異なる複数の配管固定部材を用意することで、管径の異なる複数の配管を一つの台座部材に対して整列させて並設することができ施工性に優れる。
台座係止部の台座係止凸部と台座係止凹部及び嵌合係止部の係止用凹部と係止用凸部の形状は互いに係止される形状であればよく、テーパ状や矩形状、円弧状等に形成される。
【０００７】
本発明の請求項２に記載の配管支持具は、請求項１に記載の配管支持具であって、前記台座部材の前記台座係止部が少なくとも一方の側部に片蟻状の前記台座係止凸部又は片蟻溝状の前記台座係止凹部を有し、前記配管固定部材の前記嵌合係止部が片蟻状の前記台座係止凸部又は片蟻溝状の前記台座係止凹部に係止される片蟻溝状の前記係止用凹部又は片蟻状の前記係止用凸部を備えている構成を有している。
この構成により、請求項１の作用に加え、以下のような作用を有する。
（１）台座係止部の一方の側部に片蟻状の台座係止凸部又は片蟻溝状の台座係止凹部を有し、嵌合係止部が片蟻状の台座係止凸部又は片蟻溝状の台座係止凹部に係止される片蟻溝状の係止用凹部又は片蟻状の係止用凸部を有することで、被固定面に固定される台座部材に対して配管固定部材をスライドさせるようにして嵌合できるほか、台座係止部の片蟻状の台座係止凸部又は片蟻溝状の台座係止凹部に嵌合係止部の片蟻溝状の係止用凹部又は片蟻状の係止用凸部を斜め上方から接触させ配管固定部材を回転させるようにして嵌合させることができ、配管スペースが狭い場所でも容易に台座部材と配管固定部材を着脱することができる。
（２）台座係止部の一方の側部に片蟻状の台座係止凸部又は片蟻溝状の台座係止凹部を有し、嵌合係止部が片蟻状の台座係止凸部又は片蟻溝状の台座係止凹部に係止される片蟻溝状の係止用凹部又は片蟻状の係止用凸部を有することで、配管固定部材を回転させるようにして台座部材との着脱を行うことができるので、配管完了後も容易に任意の場所に配設された配管固定部材だけを取外して交換等を行うことができる。
（３）台座係止部の両側部に片蟻状の台座係止凸部又は片蟻溝状の台座係止凹部を有し、嵌合係止部が片蟻状の台座係止凸部又は片蟻溝状の台座係止凹部に係止される片蟻溝状の係止用凹部又は片蟻状の係止用凸部を有することで、被固定面に固定される台座部材に対して配管固定部材をスライドさせるようにして容易に嵌合させることができると共に、台座係止部と嵌合係止部をより強固に嵌合させることができ、配管固定部材が上方に引抜かれることを防止でき、確実に配管抱持部に保持された配管を支持することができる。
【０００８】
ここで、台座係止部の一方の側部に片蟻状の台座係止凸部又は片蟻溝状の台座係止凹部を有する場合、片蟻状の台座係止凸部又は片蟻溝状の台座係止凹部と対向する側部に断面形状が円弧状の台座係止凸部や台座係止凹部を形成し、配管固定部材の一方の側部に断面形状が円弧状の係止用凹部や係止用凸部を形成することで、台座係止部と配管固定部材を確実に係止できると共に、配管固定部材を容易に回転させるようにして着脱することができ、作業性に優れる。このとき、台座係止凸部や係止用凸部の円弧の径よりも台座係止凹部や係止用凹部の円弧の径を大きく形成することで、より配管固定部材を回転させ易く、取外しの際に工具等を不要とすることができる。
尚、凹条に形成された台座係止部や嵌合係止部の外側面には切り欠き部を形成してもよい。これにより、切り欠き部にマイナスドライバ等を挿し込んで係止部を外側に広げるようにして台座部材を取外すことができる。
【０００９】
本発明の請求項３に記載の配管支持具は、請求項１又は２に記載の配管支持具であって、長尺板状の高さ調整基板部と、前記高さ調整基板部の上下面にそれぞれ長手方向と平行に形成され前記台座部材の前記台座係止部又は前記配管固定部材の前記嵌合係止部に着脱自在に嵌合される凸条調整係止部及び凹条調整係止部と、を有し、前記台座部材と前記配管固定部材との間に１以上嵌装されて配設される高さ調整部材を備えている構成を有している。
この構成により、請求項１又は２の作用に加え、以下のような作用を有する。
（１）高さ調整部材が、高さ調整基板部の上下面にそれぞれ長手方向と平行に形成され台座部材の台座係止部又は配管固定部材の嵌合係止部に着脱自在に嵌合される凸条調整係止部及び凹条調整係止部を有するので、１又は互いに係止して組合わされた２以上の高さ調整部材を台座部材と配管固定部材との間に嵌装させて容易に高さ調整を行うことができ、配管の勾配をとることができる。
（２）高さ調整部材が、台座部材の台座係止部に嵌合される凸条調整係止部又は凹条調整係止部を有するので、台座係止部の形状に応じて、台座部材に対してスライドさせるか、回転させるようにして嵌合させることができ、容易に着脱して高さ調整部材の数や種類を変更して高さ調整を行うことができる。
【００１０】
ここで、高さ調整部材の材質には台座部材及び配管固定部材と同様の合成樹脂が好適に用いられる。特に、長尺に形成したものを容易に切断して使用することができることで、１つの台座部材に対して部分的に高さ調整部材を嵌装させることができ、勾配が異なる配管が近接して並設されていても、容易に配管毎に高さ調整を行うことができ、施工性、汎用性に優れる。
また、高さ調整部材も配管固定部材と同様に台座部材や配管固定部材に嵌装後、接着やねじ止め等により固定できる。
【００１１】
本発明の請求項４に記載の配管支持具は、請求項１乃至３の内いずれか１項に記載の配管支持具であって、前記配管固定部材の前記配管抱持部が、前記配管抱持部の上部又は側部に形成され前記配管が着脱される着脱用開口部と、前記着脱用開口部の両端部に形成された配管案内部と、を備えている構成を有している。
この構成により、請求項１乃至３の内いずれか１項の作用に加え、以下のような作用を有する。
（１）配管固定部材の配管抱持部の上部又は側部に配管が着脱される着脱用開口部が形成されていることで、容易に配管の着脱ができるとともに、配管抱持部の側部又は上部で配管を確実に保持して固定することができる。
（２）配管が着脱される着脱用開口部の両端部に配管案内部を有することで、着脱用開口部から配管抱持部への配管の挿入がし易く施工性に優れる。
ここで、配管抱持部の材質にポリプロピレンを使用した場合、薄肉に形成した配管抱持部が弾性を有し、配管の着脱を容易に行うことができる。また、配管抱持部の着脱用開口部に形成する配管案内部の形状を着脱用開口部の端部から外方に向かって拡開したテーパ状や円弧状にした場合、着脱用開口部から配管抱持部への配管の挿入がし易く施工性に優れると共に、着脱時に配管の表面を傷つけ難く信頼性に優れる。尚、配管と接する配管抱持部の内周面にも面取りを施すことで配管表面への傷つきを防止する。
【００１２】
本発明の請求項５に記載の配管支持具は、請求項１乃至３の内いずれか１項に記載の配管支持具であって、前記配管固定部材の前記嵌合係止部が、長手方向の中央部で二分され前記配管抱持部の下部に形成された前記配管が着脱される着脱用開口部を備えている構成を有している。
この構成により、請求項１乃至３の内いずれか１項の作用に加え、以下のような作用を有する。
（１）配管固定部材の嵌合係止部が長手方向の中央部で二分され、配管抱持部の下部に配管が着脱される着脱用開口部が形成されていることで、二分された嵌合係止部を左右に引っ張るようにして着脱用開口部を拡開させて配管の着脱を行うことができ、配管の外周のほぼ全周囲を保持してより確実に配管を固定することができる。
ここで、配管抱持部の材質には容易に弾性変形可能なポリプロピレン等の合成樹脂や硬質ゴム等が好適に使用される。これにより、配管の着脱を容易に行うことができる。配管抱持部の円弧部の直径はＪＩＳ規格の配管の外径等に合わせて複数の種類の配管固定部材を用意する。
尚、着脱用開口部を拡開させて配管に着脱する代りに、配管の端部からスライドさせるようにして着脱してもよい。
また、嵌合係止部が長手方向の中央部で二分されているので、両側の嵌合係止部をねじ止め等で固定することで、中央部の配管抱持部で配管を上側から押え込むようにして確実に固定でき、信頼性に優れる。
【００１３】
本発明の請求項６に記載の配管支持具は、請求項１乃至５の内いずれか１項に記載の配管支持具であって、前記台座部材が、前記底板部及び前記台座係止部を上下方向に貫通する１以上の台座固定孔を備えている構成を有している。
この構成により、請求項１乃至５の内いずれか１項の作用に加え、以下のような作用を有する。
（１）台座部材が、底板部及び台座係止部を上下方向に貫通する１以上の台座固定孔を有することで、ビスやボルト等のねじ止め手段を台座固定孔に挿通し台座部材を被固定面に対して容易かつ確実に固定することができ配管の設置安定性に優れる。
ここで、台座固定孔の上部にはねじ等の頭部の外形より大きく、ねじ等の頭部の高さよりも深い凹部を形成する。これにより、ねじ止め手段によるねじ止め後にねじ等の頭部が凹部に収容され、台座係止部の凸条上面部や凹条底面部からはみ出ることがないので、配管固定部材や高さ調整部材を嵌装する際に干渉することなく、確実に嵌合させて固定することができる。尚、凹部は台座固定孔毎に独立させてザグリのように形成してもよいし、連続させて凹条の溝として形成してもよい。凹部を一本の凹条の溝として形成した場合、製造が容易で生産性に優れると共に、後から任意の位置に台座固定孔を追加することもできるので、現場での施工性、汎用性にも優れる。
【００１４】
本発明の請求項７に記載の配管支持具は、請求項１乃至６の内いずれか１項に記載の配管支持具であって、前記高さ調整部材が、５ｍｍ〜１００ｍｍの厚さに形成された前記高さ調整基板部を備えている構成を有している。
この構成により、請求項１乃至６の内いずれか１項の作用に加え、以下のような作用を有する。
（１）高さ調整部材の高さ調整基板部が、５ｍｍ〜１００ｍｍの厚さに形成されているので、台座部材及び配管固定部材と組合わせることにより、配管支持具の高さを容易に微調整することができ、所望の高さで配管を支持することができて配管の勾配をとることができる。
【００１５】
ここで、高さ調整部材の高さ調整基板部の厚さとしては、５ｍｍ〜１００ｍｍが好ましい。高さ調整基板部の厚さが５ｍｍより薄くなるにつれ、配管支持具の配置間隔が狭くなり高さ調整部材の数が増加することで、取り付け作業の工数が増加して作業性に欠ける傾向があり、１００ｍｍより厚くなるにつれ、配管支持具の高さ調整をする際、微調整が困難になる傾向があるので好ましくない。高さ調整基板部の厚さが３０ｍｍ以上の場合は、高さ調整基板部を中空状に形成する。これにより、高さ調整基板部の厚さが厚くなっても軽量で取扱い性に優れ、現場での作業性に優れる。尚、中空状の高さ調整基板部の内部には長手方向と平行な方向等に補強用のリブを設けてもよい。これにより、高さ調整部材の切断時や配管固定時等に高さ調整基板部の変形や破損等が発生し難く、信頼性に優れる。
通常、流し台や洗面台等の排水用配管を床下面等に固定する場合は、配管の勾配がおよそ１／１００となるようにすることが好ましい。例えば、配管を固定する配管支持具を１ｍ間隔で配設するときは、厚さが１０ｍｍの高さ調整基板部を有する高さ調整部材の数を一つずつ増やすか、高さ調整部材の高さ調整基板部の厚さを１０ｍｍずつ増やしながら台座部材と配管固定部材の間に嵌装することで配管支持具の高さを調整でき、１／１００の勾配とすることができる。
尚、高さ調整部材の高さ調整基板部の厚さを５ｍｍ〜１００ｍｍの範囲で複数種類、用意した場合、高さの組合わせによる自由度が増し、微調整を容易に行うことができ、施工性、汎用性に優れる。
【発明の効果】
【００１６】
以上のように、本発明の配管支持具によれば、以下のような有利な効果が得られる。
請求項１に記載の発明によれば、以下のような効果を有する。
（１）台座部材の凸条又は凹条の台座係止部と配管固定部材の凹条又は凸条の嵌合係止部を着脱自在に嵌合させることができると共に、台座係止部の少なくとも一方の側部に形成された台座係止凸部又は台座係止凹部と、嵌合係止部の側部に形成された係止用凹部又は係止用凸部を互いに係止させることで上方に引抜く力に対抗でき、確実に台座係止部と嵌合係止部を嵌合させて配管抱持部に保持された配管を支持することができる施工性、信頼性に優れた配管支持具を提供することができる。
（２）台座部材及び配管固定部材がそれぞれ互いに嵌合する台座係止部及び嵌合係止部を有することで、一つの台座部材に複数の配管固定部材を嵌合させることができるので、固定する配管の本数や管径に合わせて長尺の台座部材をカッター等でカッティングし、複数の配管を整列させて並設することができる経済性と汎用性、施工性に優れた配管支持具を提供することができる。
【００１７】
請求項２に記載の発明によれば、請求項１の効果に加え、以下のような効果を有する。
（１）片蟻状の台座係止凸部又は片蟻溝状の台座係止凹部を一方の側部に形成された台座係止部と、片蟻溝状の係止用凹部又は片蟻状の係止用凸部を一方の側部に形成された嵌合係止部を互いにスライドさせるようにして嵌合できるほか、台座係止部を回転させるようにして嵌合係止部に嵌合させることができ、配管スペースが狭い場所でも容易に台座部材と配管固定部材を着脱することができる作業性、汎用性に優れた配管支持具を提供することができる。
（２）配管固定部材を回転させるようにして台座部材との着脱を行うことができるので、配管完了後も容易に任意の場所に配設された配管固定部材だけを取外して交換等を行うことができる施工性、汎用性に優れた配管支持具を提供することができる。
（３）台座係止部の両側部に片蟻状の台座係止凸部又は片蟻溝状の台座係止凹部を有することで、台座部材に配管固定部材をスライドさせるようにして容易に嵌合させることができると共に、台座係止部と嵌合係止部をより強固に嵌合させることができ、配管固定部材が上方に引抜かれることを防止でき、確実に配管抱持部に保持された配管を支持することができる信頼性、耐久性に優れた配管支持具を提供することができる。
【００１８】
請求項３に記載の発明によれば、請求項１又は２の効果に加え、以下のような効果を有する。
（１）高さ調整部材が、高さ調整基板部の上下面にそれぞれ長手方向と平行に形成された凸条調整係止部及び凹条調整係止部を有するので、１又は互いに係止して組合わされた２以上の高さ調整部材を台座部材と配管固定部材との間に嵌装させて容易に短時間で高さ調整を行うことができ、配管の勾配をとることができる作業性に優れた配管支持具を提供することができる。
（２）高さ調整部材が、台座部材の台座係止部に嵌合される凸条調整係止部又は凹条調整係止部を有するので、台座部材又は台座部材に嵌装された高さ調整部材に対して高さ調整部材をスライドさせるか、回転させるようにして嵌合させることができ、容易に着脱して高さ調整部材の数や種類を変更して高さ調整を行うことができる作業性、汎用性に優れた配管支持具を提供することができる。
【００１９】
請求項４に記載の発明によれば、請求項１乃至３の効果に加え、以下のような効果を有する。
（１）配管固定部材の配管抱持部の上部又は側部に形成された着脱用開口部から容易に配管の着脱ができ作業性に優れるるとともに、配管抱持部の側部又は上部で配管を確実に保持して固定することができ、配管の振動を防止できる信頼性、静粛性に優れた配管支持具を提供することができる。
【００２０】
請求項５に記載の発明によれば、請求項１乃至３の効果に加え、以下のような効果を有する。
（１）中央部で二分された嵌合係止部を左右に引っ張るようにして配管抱持部の下部に形成された着脱用開口部を拡開させて容易に配管の着脱を行うことができ、配管の外周のほぼ全周囲を保持してより確実に配管を固定することができる作業性、信頼性に優れた配管支持具を提供することができる。
【００２１】
請求項６に記載の発明によれば、請求項１乃至５の効果に加え、以下のような効果を有する。
（１）台座部材の台座固定孔にビスやボルト等のねじ止め手段を挿通し、台座部材を被固定面に対して容易かつ確実に固定することができ配管の設置安定性に優れた配管支持具を提供することができる。
【００２２】
請求項７に記載の発明によれば、請求項１乃至６の効果に加え、以下のような効果を有する。
（１）高さ調整基板部の厚さが５ｍｍ〜１００ｍｍに形成された高さ調整部材を台座部材及び配管固定部材と組合わせることにより、配管支持具の高さを容易に微調整することができ、所望の高さで配管を支持することができて配管の勾配をとることができる汎用性に優れた配管支持具を提供することができる。
【発明を実施するための最良の形態】
【００２３】
以下、本発明の実施の形態における配管支持具について、図面を参照しながら説明する。
（実施の形態１）
本発明の実施の形態１における配管支持具について、以下図面を用いて説明する。
図１は実施の形態１における台座部材と配管固定部材を示す全体斜視図であり、図２は台座係止部と嵌合係止部の嵌合方法を示す模式説明図である。
図１及び図２中、１は所望の長さに切断されて床下面や壁裏面等の被固定面に固定されるポリエチレンやポリプロピレン等の合成樹脂製の台座部材、２は被固定面に載置される台座部材１の長尺板状の底板部、３は底板部上面２ａに長手方向と平行に形成された凸条の台座係止部、３ａは台座係止部３の凸条上面部、３ｂは台座係止部３の一側部に長手方向と平行に形成された片蟻状の台座係止凸部、３ｃは台座係止部３の台座係止凸部３ｂと対向する側部に長手方向と平行に形成された円弧状の台座係止凹部、３ｄは台座係止部３の凸条上面部３ａに長手方向と平行に形成された固定用逃げ溝、４は固定用逃げ溝３ｄ内に底板部２及び台座係止部３を上下方向に貫通して穿設され台座部材１を被固定面に固定するねじ等が挿通される複数の台座固定孔、５はポリエチレンやポリプロピレン等の合成樹脂製の配管固定部材、６は配管固定部材５の下部に形成され台座部材１の凸条の台座係止部３と着脱自在に嵌合される凹条の嵌合係止部、６ａは嵌合係止部６の凹条底面部、６ｂは嵌合係止部６の一側部に形成された片蟻溝状の係止用凹部、６ｃは嵌合係止部６の係止用凹部６ｂと対向する側部に長手方向と平行に形成された円弧状の係止用凸部、７は配管が着脱される着脱用開口部７ａを上部に有し配管の両側を挟持するように嵌合係止部６の上部に形成された円弧状の配管抱持部、７ｂは配管抱持部７の着脱用開口部７ａの両端部に延設され外方に向かって拡開した円弧状の配管案内部、８は配管固定部材５の嵌合係止部６及び配管抱持部７の底部を上下に貫通して形成され配管固定部材５を台座部材１や被固定面に固定するねじ等が挿通される固定孔、８ａは固定孔８に挿通されるねじ等の固定手段の頭部が配管と干渉しないよう固定孔８の上部に形成された凹状のザグリ部である。
【００２４】
台座部材１は配管の大きさや本数、配管スペースに合わせて必要な数や大きさの配管固定部材５が嵌装できる長さに切断して使用する。台座部材１は、台座固定孔４にねじ等の固定手段を挿通することにより、被固定面に対して強固に固定される。尚、台座係止部３の凸条上面部３ａに固定用逃げ溝３ｄを形成する代わりに、配管固定部材５の固定孔８と同様に各台座固定孔４の上部に個別にザグリを形成してもよい。配管固定部材５の配管抱持部７はＪＩＳ規格の配管の外径等に合わせて円弧状に形成され弾性を有することで、配管を確実に挟持する。台座部材１と配管固定部材５は、台座係止部３と嵌合係止部６が嵌合されて固定されるが、配管固定部材５に穿設した固定孔８にねじ等を挿通し、台座部材１や若しくは台座部材１の台座固定孔４に挿通し被固定面に固定することでより強固に固定できる。ねじ止めの場合は容易に分解することができメンテナンス性に優れるが、より確実に固定するために台座部材１と配管固定部材５を接着剤により固定してもよい。
【００２５】
次に、台座部材１の台座係止部３と配管固定部材５の嵌合係止部６の嵌合方法について、図２を参照しながら説明する。
まず、台座係止部３の台座係止凸部３ｂに嵌合係止部６の係止用凹部６ｂを対向させ、斜め上方から接触させる。次いで嵌合係止部６を下方向（矢印ａ方向）に押し付け、嵌合係止部６の係止用凸部６ｃを台座係止部３の台座係止凹部３ｃに係止させることで嵌合される。また、嵌合係止部６の係止用凸部６ｃ側を上方（矢印ｂ方向）に持ち上げるようにすることで取外すことができる。尚、台座係止部３に固定用逃げ溝３ｄが形成されていることで、台座係止凸部３ｂ及び台座係止凹部３ｃが弾性変形し易く、台座係止部３と嵌合係止部６の着脱を容易に行なうことができる。また、配管を固定する被固定面のスペースが広く、作業性に問題がなければ、各部材の端部で各係止部を嵌合した後、長手方向にスライドさせて嵌装してもよい。
【００２６】
次に、台座部材１の台座係止部３及び配管固定部材５の嵌合係止部６の変形例について、図面を参照しながら説明する。
図３（ａ）は台座係止部と嵌合係止部の嵌合状態を示す要部断面側面図であり、図３（ｂ）乃至図３（ｄ）は台座係止部と嵌合係止部の変形例を示す要部断面側面図である。
図３（ａ）中、３ｅは台座係止部３の台座係止凸部３ｂと対向する側の凸条上面部３ａに円弧状に形成された面取りである。これにより、嵌合係止部６を回転させるようにして台座係止部３に嵌合させる場合に、係止用凸部６ｃが台座係止部３の角部と干渉することがない。ここで、台座係止凹部３ｃの円弧径は係止用凸部６ｃの円弧径よりも大きく形成した。これにより、台座係止凹部３ｃと係止用凸部６ｃとの間に隙間が生じ、容易に嵌合係止部６を回転させて台座係止部３から取外すことができると共に、上方に引抜く力に対しては台座係止凸部３ｂと係止用凹部６ｂ、台座係止凹部３ｃと係止用凸部６ｃで強固に抵抗し嵌合状態を維持できる。
図３（ｂ）の変形例が図３（ａ）と異なるのは、台座係止部３に円弧状の台座係止凸部３ｆが形成され、嵌合係止部６に円弧状の係止用凹部６ｄが形成されている点である。
図３（ｃ）の変形例が図３（ａ）と異なるのは、台座係止部３に台座係止凸部３ｆが形成され、嵌合係止部６に係止用凸部６ｃが係止されている点である。
いずれの変形例も、台座係止部３と嵌合係止部６を着脱自在に嵌合させることができ、施工性に優れる。
図３（ｄ）の変形例が図３（ａ）と異なるのは、台座係止部３の台座係止凸部３ｂの近傍に長手方向と平行にスリット部３ｇを形成した点である。これにより、嵌合係止部６を台座係止部３から取外す際に、嵌合係止部６を台座係止部３の台座係止凸部３ｂ側に押し付けるようにして台座係止凸部３ｂを内側へ変形させることができ、容易に台座係止凹部３ｃと係止用凸部６ｃとの係止を外して嵌合係止部６を回転させることができる。
また、台座係止部３の台座係止凸部３ｂの角度は嵌合係止部６の係止用凹部６ｂの角度よりも鋭角に形成した。これにより、台座係止凸部３ｂと係止用凹部６ｂの間に隙間が生じ、容易に嵌合係止部６を回転させて台座係止部３から取外すことができる。
尚、台座係止部３を凹条に形成し、嵌合係止部６を凸条に形成しても同様である。
【００２７】
図４（ａ）は実施の形態１における高さ調整部材を示す全体斜視図であり、図４（ｂ）は実施の形態１における高さ調整部材の変形例を示す全体斜視図である。
図４（ａ）中、１０は台座部材１と配管固定部材５の間に１乃至複数、嵌装される合成樹脂製の高さ調整部材、１１は長尺板状の高さ調整基板部、１２は高さ調整基板部１１の下面に長手方向と平行に形成された凹条調整係止部、１２ａは凹条調整係止部１２の凹条底面部、１２ｂは凹条調整係止部１２の一側部に長手方向と平行に形成された片蟻溝状の係止用凹部、１２ｃは凹条調整係止部１２の係止用凹部１２ｂと対向する側部に長手方向と平行に形成された円弧状の係止用凸部、１３は高さ調整基板部１１の上面に長手方向と平行に形成された凸条調整係止部、１３ａは凸条調整係止部１３の凸条上面部、１３ｂは凸条調整係止部１３の一側部に長手方向と平行に形成された片蟻状の係止用凸部、１３ｃは凸条調整係止部１３の係止用凸部１３ｂと対向する側部に長手方向と平行に形成された円弧状の係止用凹部である。
図４（ｂ）中、１１ａは高さ調整基板部１１の長手方向と平行に形成された中空部、１１ｂは高さ調整基板部１１の長手方向と平行に中空部１１ａに形成された補強用リブである。
【００２８】
凹条調整係止部１２及び凸条調整係止部１３はそれぞれ前述と同様の嵌合方法により、台座部材１や配管固定部材５、他の高さ調整部材１０の係止部と嵌合される。
尚、台座係止部３が凹条、嵌合係止部６が凸条に形成された場合は、高さ調整部材１０の上下を反転させるだけでそのまま使用することができる。
高さ調整部材１０の高さ調整基板部１１の厚さは５ｍｍ〜１００ｍｍで形成した。高さ調整基板部１１の厚さが５ｍｍより薄くなるにつれ、配管支持具の配置間隔が狭くなり高さ調整部材１０の数が増加することで、取り付け作業の工数が増加して作業性に欠ける傾向があり、１００ｍｍより厚くなるにつれ、配管支持具の高さ調整をする際、微調整が困難になる傾向があることがわかった。また、高さ調整基板部１１の厚さが３０ｍｍ以上の場合は、高さ調整基板部１１の長手方向と平行に中空部１１ａと補強用リブ１１ｂを形成した。これにより、高さ調整基板部１１の厚さが厚くなっても軽量で取扱い性に優れ、現場での作業性に優れると共に、高さ調整部材１０の切断時や配管固定時等に高さ調整基板部１１の変形や破損等が発生し難くなることがわかった。
高さ調整部材１０を台座部材１と配管固定部材５の間に１乃至複数、嵌装させることにより、配管支持具の高さを調整して配管を支持し、配管の勾配をとることができる。
【００２９】
図５は実施の形態１における配管支持具の使用状態を示す斜視図である。
図５中、２０は台座部材１が固定される被固定面となる床下面、２１ａ、２１ｂは配管抱持部７の寸法が異なる配管固定部材５ａ、５ｂによってそれぞれ支持された外径が異なる給水用や排水用等の配管である。台座部材１は床下面２０にねじ止めなどにより固定され、配管２１ａ、２１ｂの数や大きさに応じた配管固定部材５ａ、５ｂを嵌装することで容易に複数の配管２１ａ、２１ｂを整列させ固定することができる。
【００３０】
図６は、実施の形態１における配管の傾斜状態を示す説明図である。
図６中、２２は家屋内等の床面である。配管２１の長さに応じ必要な個数の台座部材１を床下面２０に固定し、配管２０に必要な勾配に応じて高さ調整部材１０の数や高さ調整基板部１１の厚さを変えて台座部材１と配管固定部材５の間に嵌装させる。
例えば、配管２１の勾配を１／１００にする場合、配管２１を固定する配管支持具を１ｍ間隔で配設し、厚さが１０ｍｍの高さ調整基板部１１を有する高さ調整部材１０を一つずつ増やしながら台座部材１と配管固定部材５の間に嵌装して配管支持具の高さを調整する。また、高さ調整部材１０の数を増やす代りに、高さ調整部材１０の高さ調整基板部１１の厚さが１０ｍｍずつ厚く形成されたものを用いることもできる。
【００３１】
以上のように、実施の形態１における配管支持具は構成されているので、以下のような作用を有する。
（１）被固定面２０に固定される台座部材１が基板部上面２ａに台座係止凸部３ｂが側部に形成された凸条の台座係止部３を有し、上部に配管２１を保持する円弧状の配管抱持部７を有する配管固定部材５が側部に係止用凹部６ｂが形成された凹条の嵌合係止部６を有するので、台座部材１の台座係止部３に配管固定部材５の嵌合係止部６を着脱自在に嵌合させることができ、配管抱持部７に保持された配管２１を容易に被固定面に固定することができる。
（２）台座部材１の台座係止部３及び配管固定部材５の嵌合係止部６がそれぞれ互いに嵌合する台座係止凸部３ｂ及び係止用凹部６ｂを有するので、被固定面に固定される台座部材１に対して配管固定部材５をスライドさせるようにして嵌合できるほか、台座係止部３の台座係止凸部３ｂと嵌合係止部６の係止用凹部６ｂを斜め上方から接触させ配管固定部材５を回転させるようにして嵌合させることができ、配管スペースが狭い場所でも容易に台座部材１と配管固定部材５を着脱することができる。
（３）台座部材１の台座係止部３及び配管固定部材５の嵌合係止部６がそれぞれ互いに嵌合する台座係止凸部３ｂ及び係止用凹部６ｂを有し、配管固定部材５を回転させるようにして台座部材１との着脱を行うことができるので、配管完了後も容易に任意の場所に配設された配管固定部材５だけを取外して交換等を行うことができる。
（４）台座部材１及び配管固定部材５がそれぞれ互いに嵌合する台座係止部３及び嵌合係止部６を有することで、一つの台座部材１に複数の同一又は異なった大きさの配管固定部材５ａ、５ｂを嵌合させることができるので、固定する配管２１ａ、２１ｂの本数や管径に合わせて長尺の台座部材１をカッター等でカッティングし、複数の配管２１ａ、２１ｂを整列させて並設することができる。
（５）高さ調整部材１０が、高さ調整基板部１１の上下面にそれぞれ長手方向と平行に形成された凸条調整係止部１３及び凹条調整係止部１２を有するので、１又は互いに係止して組合わされた２以上の高さ調整部材１０を台座部材１と配管固定部材５との間に嵌装させて容易に高さ調整を行うことができ、配管２１の勾配をとることができる。
（６）高さ調整部材１０の凸条調整係止部１３及び凹条調整係止部１２が、それぞれ係止用凸部１３ｂ及び係止用凹部１２ｂを有するので、台座部材１又は台座部材１に嵌装された高さ調整部材１０に対してスライドさせるか、それぞれの係止部の台座係止凸部３ｂ又は係止用凸部１３ｂと係止用凹部１２ｂを斜め上方から接触させ回転させるようにして嵌合させることができ、容易に着脱して高さ調整部材１０の数や種類を変更して高さ調整を行うことができる。
（７）配管固定部材５の配管抱持部７の上部に配管２１が着脱される着脱用開口部７ａが形成されていることで、容易に配管２１の着脱ができるとともに、配管抱持部７の側部で配管２１を確実に保持して固定することができる。
（８）配管抱持部７の着脱用開口部７ａの両端部に延設された円弧状の配管案内部７ｂにより、配管を着脱用開口部７ａから配管抱持部７に案内することができ、配管２１を傷つけることなく着脱を容易にできる。
（９）台座部材１が、底板部２及び台座係止部３を上下方向に貫通する１以上の台座固定孔４を有することで、ビスやボルト等のねじ止め手段を台座固定孔４に挿通し台座部材１を被固定面２０に対して容易かつ確実に固定することができ配管２１の設置安定性に優れる。
（１０）台座固定孔４が固定用逃げ溝３ｄ内に穿設されていることで、台座部材１に配管固定部材５を嵌合させる際に、台座固定孔４に挿通されたねじ等の固定手段の頭部が嵌合係止部６の凹条底面部６ａと干渉せず、確実に台座部材１に配管固定部材５を嵌装できる。
（１１）配管固定部材５に穿設した固定孔８にねじ等を挿通し、台座部材１や若しくは台座部材１の台座固定孔４に挿通し被固定面２０に固定することでより強固に固定できると共に、必要に応じて容易に分解して部材の交換等を行うことができメンテナンス性に優れる。
（１２）高さ調整部材１０の高さ調整基板部１１が、５ｍｍ〜１００ｍｍの厚さに形成されているので、台座部材１及び配管固定部材５と組合わせることにより、配管支持具の高さを容易に微調整することができ、所望の高さで配管２１を支持することができて配管２１の勾配をとることができる。
（１３）台座部材１の台座係止部３、配管固定部材５の嵌合係止部６、高さ調整部材１０の凸条調整係止部１３及び凹条調整係止部１２が、それぞれ台座係止凸部３ｂ、係止用凸部１３ｂ及び係止用凹部６ｂ、１２ｂと対向する側部に長手方向と平行に形成された台座係止凹部３ｃ、係止用凹部１３ｃ及び係止用凸部６ｃ、１２ｃを備えていることで、各部材を嵌合させた際に台座係止凹部３ｃ、係止用凹部１３ｃと係止用凸部６ｃ、１２ｃがそれぞれ互いに係合し、より確実に部材同士を固定でき、配管２１を支持することができる。
【００３２】
（実施の形態２）
次に、本発明の実施の形態２における配管支持具について、以下図面を用いて説明する。
図７は実施の形態２における配管固定部材を示す斜視図である。尚、実施の形態１と同様のものには同一の符号を付して説明を省略する。
図７中、２５はポリエチレンやポリプロピレン等の合成樹脂製の配管固定部材、２６は配管の着脱用開口部２８ａにより長手方向の中央部で二分され台座部材１の凸条の台座係止部３や高さ調整基板部１１の凸条調整係止部１３と着脱自在に嵌合される凹条の嵌合係止部、２６ａは嵌合係止部２６の凹条底面部、２６ｂは嵌合係止部２６の一側部に形成された片蟻溝状の係止用凹部、２６ｃは嵌合係止部２６の係止用凹部２６ｂと対向する側部に長手方向と平行に形成された円弧状の係止用凸部、２７は配管固定部材２５の嵌合係止部２６を上下に貫通して形成され配管固定部材２５を台座部材１や被固定面２０等に固定するねじ等が挿通される固定孔、２７ａは固定孔２７の上部に形成された凹状のザグリ部、２８は配管が着脱される着脱用開口部２８ａを下部に有し配管の外周を保持するように嵌合係止部２６の上部に形成された円弧状の配管抱持部である。
配管抱持部２８の下部に着脱用開口部２８ａが形成されているので、着脱用開口部２８ａを左右に拡開させて配管に着脱することができるほか、配管の端部からスライドさせるようにして着脱してもよい。
【００３３】
以上のように、実施の形態２における配管支持具は構成されているので、以下のような作用を有する。
（１）配管固定部材２５の嵌合係止部２６が長手方向の中央部で二分され、配管抱持部２８の下部に配管が着脱される着脱用開口部２８ａが形成されていることで、二分された嵌合係止部２６を左右に引っ張るようにして着脱用開口部２８ａを拡開させて配管の着脱を行うことができ、配管の外周のほぼ全周囲を保持してより確実に配管を固定することができる。
（２）両側の嵌合係止部２６を固定孔２７に挿通されるねじ等の固定手段で固定することで、中央部の配管抱持部２８で配管を上側から押え込むようにして確実に固定でき、配管の振動を防止でき静粛性に優れる。
【産業上の利用可能性】
【００３４】
本発明の配管支持具によれば、複数の配管を整列させて並設固定することができ施工性、汎用性に優れ、台座部材と配管固定部材及び高さ調整部材を容易に着脱でき作業性に優れ、予め厚さが異なる数種類の高さ調整部材を用意することでそれらを組合わせて簡便に勾配の微調整ができ汎用性、施工性に優れるので、特に家屋等の床下面や壁面、天井裏面等の被固定面に配設される給水用や排水用等の配管を固定する配管支持具として好適に利用することができる。
【図面の簡単な説明】
【００３５】
【図１】実施の形態１における台座部材と配管固定部材を示す全体斜視図
【図２】台座係止部と嵌合係止部の嵌合方法を示す模式説明図
【図３】（ａ）台座係止部と嵌合係止部の嵌合状態を示す要部断面側面図  （ｂ）台座係止部と嵌合係止部の変形例を示す要部断面側面図  （ｃ）台座係止部と嵌合係止部の変形例を示す要部断面側面図  （ｄ）台座係止部と嵌合係止部の変形例を示す要部断面側面図
【図４】（ａ）実施の形態１における高さ調整部材を示す全体斜視図  （ｂ）実施の形態１における高さ調整部材の変形例を示す全体斜視図
【図５】実施の形態１における配管支持具の使用状態を示す斜視図
【図６】実施の形態１における配管の傾斜状態を示す説明図
【図７】実施の形態２における配管固定部材を示す全体斜視図
【符号の説明】
【００３６】
１  台座部材
２  底板部
２ａ  底板部上面
３  台座係止部
３ａ、１３ａ  凸条上面部
３ｂ、３ｆ  台座係止凸部
３ｃ  台座係止凹部
３ｄ  固定用逃げ溝
３ｅ  面取り
３ｇ  スリット部
４  台座固定孔
５、５ａ、５ｂ、２５  配管固定部材
６、２６  嵌合係止部
６ａ、１２ａ、２６ａ  凹条底面部
６ｂ、６ｄ、１２ｂ、１３ｃ、２６ｂ  係止用凹部
６ｃ、１２ｃ、１３ｂ、２６ｃ  係止用凸部
７、２８  配管抱持部
７ａ、２８ａ  着脱用開口部
７ｂ  配管案内部
８、２７  固定孔
８ａ、２７ａ  ザグリ部
１０  高さ調整部材
１１  高さ調整基板部
１１ａ  中空部
１１ｂ  補強用リブ
１２  凹条調整係止部
１３  凸条調整係止部
２０  床下面
２１、２１ａ、２１ｂ  配管
２２  床面
【図１】
2005133882.tif 000003
【図２】
2005133882.tif 000004
【図３】
2005133882.tif 000005
【図４】
2005133882.tif 000006
【図５】
2005133882.tif 000007
【図６】
2005133882.tif 000008
【図７】
2005133882.tif 000009
【手続補正書】
【提出日】平成15年10月31日(2003.10.31)
【手続補正１】
【補正対象書類名】特許請求の範囲
【補正対象項目名】全文
【補正方法】変更
【補正の内容】
【特許請求の範囲】
【請求項１】
給水用や汚水や雨水等の排水用等の配管を家屋等の床下面や壁面、天井裏面等の被固定面に固定する配管支持具であって、
ａ．前記被固定面に固定される長尺板状の底板部と、前記底板部の上面に長手方向と平行に形成された凸条又は凹条の台座係止部と、前記台座係止部の少なくとも一方の側部に長手方向と平行に形成された台座係止凸部又は台座係止凹部と、を有する台座部材と、
ｂ．側部に前記台座係止部の前記台座係止凸部又は前記台座係止凹部に係止される係止用凹部又は係止用凸部を備え前記台座係止部に着脱自在に嵌合される凹条又は凸条の嵌合係止部と、前記嵌合係止部の上部に円弧状に形成され前記配管を保持する配管抱持部と、を有する配管固定部材と、
を備えていることを特徴とする配管支持具。
【請求項２】
前記台座部材の前記台座係止部が少なくとも一方の側部に片蟻状の前記台座係止凸部又は片蟻溝状の前記台座係止凹部を有し、前記配管固定部材の前記嵌合係止部が片蟻状の前記台座係止凸部又は片蟻溝状の前記台座係止凹部に係止される片蟻溝状の前記係止用凹部又は片蟻状の前記係止用凸部を備えていることを特徴とする請求項１に記載の配管支持具。
【請求項３】
長尺板状の高さ調整基板部と、前記高さ調整基板部の上下面にそれぞれ長手方向と平行に形成され前記台座部材の前記台座係止部又は前記配管固定部材の前記嵌合係止部に着脱自在に嵌合される凸条調整係止部及び凹条調整係止部と、を有し、前記台座部材と前記配管固定部材との間に１以上嵌装されて配設される高さ調整部材を備えていることを特徴とする請求項１又は２に記載の配管支持具。
【請求項４】
前記配管固定部材の前記配管抱持部が、前記配管抱持部の上部又は側部に形成され前記配管が着脱される着脱用開口部と、前記着脱用開口部の両端部に形成された配管案内部と、を有することを特徴とする請求項１乃至３の内いずれか１項に記載の配管支持具。
【請求項５】
前記配管固定部材の前記嵌合係止部が、長手方向の中央部で二分され前記配管抱持部の下部に形成された前記配管が着脱される着脱用開口部を有することを特徴とする請求項１乃至３の内いずれか１項に記載の配管支持具。
【請求項６】
前記台座部材が、前記底板部及び前記台座係止部を上下方向に貫通する１以上の台座固定孔を有することを特徴とする請求項１乃至５の内いずれか１項に記載の配管支持具。
【請求項７】
前記高さ調整部材が、５ｍｍ〜１００ｍｍの厚さに形成された前記高さ調整基板部を有することを特徴とする請求項１乃至６の内いずれか１項に記載の配管支持具。